(57)【特許請求の範囲】
【請求項１】
地中に埋設された配管からの漏水により生じた振動、音響により漏水の有無を検出するための漏水検出装置であって、
配管に設置され、前記配管から生じた振動、音響を捕らえるセンサーと、
このセンサーにより捕らえた信号を所定の周期でサンプリングし、前記振動、音響の波形をデジタル信号に変換して出力するＡ／Ｄ変換部と、
このＡ／Ｄ変換部から出力されるデジタル信号から、必要とする周波数成分を抽出する波形整形部と、
判定信号レベルの値と、漏水判定条件とを受け付け、前記受け付けた判定信号レベル及び漏水判定条件を設定する漏水判定条件入力部と、
前記波形整形部で抽出される信号の信号レベルと、前記設定された判定信号レベルとを比較し、超えたか超えなかったかの判定結果を出力するレベル比較部と、
前記判定結果に基づき、前記信号レベルが前記判定信号レベルを超えた場合、カウント値を＋１する判定レベル以上カウンタ、及び、前記信号レベルが前記判定信号レベル未満の場合、カウント値を＋１する判定レベル未満カウンタを備えるカウンタ部と、
前記設定された漏水判定条件に基づき、一定時間間隔内における前記判定レベル未満カウンタのカウント値に対する前記判定レベル以上カウンタのカウント値の比率が１以上のとき漏水と判定する漏水判定部と
を具備することを特徴とする漏水検出装置。
【請求項２】
前記判定レベル以上カウンタ及び前記判定レベル未満カウンタは夫々予め決められた上限判定信号レベルと、この上限判定信号レベルより低い予め決められた下限判定信号レベルを検知する機能を有し、
前記デジタル信号における信号レベルが、前記上限判定信号レベルを超えた場合に、前記判定レベル以上カウンタを＋１とし、また、信号レベルが前記下限判定信号レベルを下回った場合に、前記判定レベル未満カウンタを＋１とし、一定時間間隔内における上限判定信号レベルを超えたサンプリング回数と下限判定信号レベルを下回ったサンプリング回数に基づく、判定レベル以上カウンタと判定レベル未満カウンタとの比率の値が１以上のとき漏水と判定することを特徴とする請求項１記載の漏水検出装置。
【請求項３】
前記判定レベル以上カウンタ及び前記判定レベル未満カウンタは夫々３つ以上の判定信号レベルを検知する機能を有し、
前記デジタル信号における信号レベルが、各々の判定信号レベルを超えた場合に、各々の判定レベル以上カウンタを＋１とし、一定時間間隔内における各々の判定信号レベルを超えたサンプリング回数と総サンプリング回数との複数の比率を求め、計測時の周囲環境条件から複数の判定信号レベルのうち、どの判定信号レベルのサンプリング比率を用いて判定を行うかを選択することを特徴とする請求項１記載の漏水検出装置。
【請求項４】
予め漏水が存在することが判明している配管に前記センサーが設置された漏水検出装置であり、
デジタル信号における信号レベルが、判定信号レベルを超えた場合に、前記判定レベル以上カウンタを＋１とし、一定時間間隔内における判定信号レベルを超えたサンプリング回数を判定レベル以上カウンタにより算出して、総サンプリング回数における判定信号レベルを超えたサンプリング回数の比率を求め、このサンプリング比率がある決められた値以上となるまで判定信号レベルを可変しながら計測され、サンプリング比率がある決められた値以上となった場合における判定信号レベルの値により、漏水判定のための判定信号レベルが自動的に決定されることを特徴とする請求項１記載の漏水検出装置。
【発明の詳細な説明】
【技術分野】
【０００１】
本開示は、水道管等の地下埋設物の破損等によって生じる、漏水のような地中への配管内物質の放出に伴って生じる振動、音響を検知する漏水検出装置に関する。
【背景技術】
【０００２】
従来、配管の漏水位置を検出する場合、配管の弁のような露出している場所で配管上の振動を耳で調べて、配管上のどこかに漏水があることを確認していた。そして、地表から配管が地中に埋設されていそうな位置での振動を耳で確かめていき、漏水音が一番良く聞こえる位置を見つけた後、そこを堀り、配管を調べていた。しかし、この方法を行うには熟練した作業者が行う必要があった。
【０００３】
また、別な漏水位置の検出手段として、配管上の振動信号をとらえ、一定レベル以上の信号が単位時間内に占める割合を時間積分として求め、その値が一定レベルを超えた時に漏水の判定を行う方法もある。しかし、この方法は漏水の可能性が有る場合の検出は容易であるが、漏水の無い箇所における判定には曖昧さを生じるという問題がある。
【先行技術文献】
【特許文献】
【０００４】
【特許文献１】特開平１０−７８３７１号公報
【発明の概要】
【発明が解決しようとする課題】
【０００５】
上述した従来の方法による漏水検知では熟練した作業者が行う場合、また、１回のみの計測において、ある決められた固定のレベル以上の漏水の信号を捕らえる方法であるため、最終的な漏水の有無判定を行う場合に、外部騒音の状況、使用水の状況により、それらの計測環境を考慮した漏水有無判定を行うことが難しく、適していないという問題があった。
【０００６】
本発明は、このような従来の問題点を解決するため、最終的な漏水有無判定において、漏水が無い場合の条件を盛り込むとともに、外部騒音等の環境により、計測後に漏水判定条件を決めることができ漏水判定結果の精度を上げ、確実な漏水無検出を行う漏水検出装置を提供することを目的とする。
【課題を解決するための手段】
【０００７】
実施形態に係る漏水検出装置は、地中に埋設された配管からの漏水により生じた振動、音響により漏水の有無を検出する。漏水検出装置は、センサー、Ａ／Ｄ変換部、レベル比較部、カウンタ部、漏水判定部及び漏水判定条件入力部を具備する。センサーは、配管に設置され、配管から生じた振動、音響を捕らえる。Ａ／Ｄ変換部は、このセンサーにより捕らえた信号を所定の周期でサンプリングしてデジタル信号に変換して出力する。レベル比較部は、前記デジタル信号のサンプリングタイミング毎の信号レベルと、予め決められた判定信号レベルとを比較し、超えたか超えなかったかの判定結果を出力する。カウンタ部は、前記判定結果に基づき、前記信号レベルが前記判定信号レベルを超えた場合、カウント値を＋１する判定レベル以上カウンタ、及び、前記信号レベルが前記判定信号レベル未満の場合、カウント値を＋１する判定レベル未満カウンタを備える。漏水判定部は、一定時間間隔内における前記判定レベル未満カウンタのカウント値に対する前記判定レベル以上カウンタのカウント値の比率が１以上のとき漏水と判定する。漏水判定条件入力部は、前記判定信号レベルの値と、前記カウンタ部がカウント値をカウントする際の基準についての漏水判定基準とを受け付け、前記レベル比較部及び前記漏水判定部に対して設定する。
【図面の簡単な説明】
【０００８】
【図１】一実施形態に係る漏水検出装置のブロック図。
【図２】図１の漏水検出装置によるサンプリング回数と電圧、カウンタ値との関係を示す特性図。
【図３】第２の実施形態に係る漏水検出装置によるサンプリング回数と電圧、カウンタ値との関係を示す特性図。
【図４】第３の実施形態に係る漏水検出装置によるサンプリング回数と電圧との関係を示す特性図。
【図５】第３の実施形態に係る漏水検出装置による電圧の計測開始から計測終了までの作用を説明するためのブロック図。
【図６】第４の実施形態に係る漏水検出装置によるサンプリング回数と電圧との関係を示す特性図。
【図７】第４の実施形態に係る漏水検出装置による電圧の計測開始から計測終了までの作用を説明するためのブロック図。
【発明を実施するための形態】
【０００９】
以下に、本開示の実施形態に係る漏水検出装置について説明する。  
図１は、一実施形態に係る漏水検出装置のブロック図を示す。  
漏水検出装置は、センサー１と、増幅部２と、Ａ／Ｄ変換部３と、中央制御部４と、漏水判定条件入力部５とから構成されている。センサー１は地中に埋設された配管に設置されて、配管からの漏水により生じた振動、音響を検知して電気信号（センサ信号）に変換するもので、例えば加速度センサー、振動センサー、マイクロホンが挙げられる。
【００１０】
増幅部２は、電気信号を増幅する機能を有する。Ａ／Ｄ変換部３は、センサ信号が入力され、図示されない内部クロック供給手段からのクロックにより生成した所定の周波数（周期）でサンプリングしたデジタル信号に変換して出力する。  
漏水判定条件入力部５から後述する漏水判定部８に判定信号レベルの組合せを定める漏水判定条件が、またレベル比較部１０に判定信号レベルＬの値を設定する設定条件が入力される。
【００１１】
中央制御部４は、図示されない内部クロック供給手段からのクロックなどの共通タイミング情報で動作する波形整形部９と、レベル比較部１０と、カウンタ部１１と、演算結果記録部７と、漏水判定部８とから構成されている。
【００１２】
波形整形部９は、センサー１が取得した信号から雑音を除去したり、レベル比較部１０が必要とする信号周波数成分のみ取り出す機能を有し、ローパスフィルター（ＬＰＦ），ハイパスフィルター（ＨＰＦ），バンドパスフィルター（ＢＰＦ）のようなフィルターが用いられる。ここでは、波形整形部９は、Ａ／Ｄ変換されたデジタル信号を処理するデジタルフィルタで構成されているが、Ａ／Ｄ変換部３の前に置かれてもよい。また、センサー信号の包絡線を取り出す様な検波処理等が行われるものであっても良い。
【００１３】
レベル比較部１０は、波形整形部９から入力されるデジタル信号のサンプリングタイミング毎の信号レベルと、予め決められた判定信号レベルとを比較して、越えたか越えなかったかの判定結果をカウンタ部１１へ出力する。  
カウンタ部１１は、レベル比較部１０へ入力された信号レベルが予め決められた判定信号レベルを超えた回数をカウントする判定レベル以上カウンタ（図示せず）と、判定信号レベル未満であった回数をカウントする判定レベル未満カウンタ（図示せず）とを備え、両カウンタのカウント値を演算結果記録部７へ出力する。
【００１４】
演算結果記録部７は、クロックから所定の測定期間となる一定の時間間隔Ｔを設定し、その時間中に得られる総サンプリング回数における判定信号レベルを超えた回数の比率等を演算結果として算出し、その算出結果を装置内部メモリ、又は外部から装着可能なメモリカード等の記録媒体に記録する。  
漏水判定部８は、各判定信号レベルを超えた回数と判定信号レベルを下回った回数の比率、また、総サンプリング回数における判定信号レベルを超えた回数の比率等から漏水の有無を推定する機能を有する。
【００１５】
中央制御部４ではレベル比較部１０やカウンタ部１１等により、デジタル信号における信号レベルが、予め決められた判定信号レベルを超えた場合に、前記判定レベル以上カウンタのカウント回数（以下、カウント値と称する。）を＋１とし、判定信号レベルが予め決められた判定信号レベルを下回った場合に、前記判定レベル未満カウンタのカウント値を＋１としている。また、一定時間間隔Ｔ内における判定信号レベルを超えたカウント回数と判定信号レベルを下回ったカウント値により、判定レベル以上カウンタと判定レベル未満カウンタとのカウント値とのカウント比率Ｆを算出して、漏水判定条件としてこのカウント比率Ｆの値が１以上のとき漏水と判定する。
【００１６】
次に、具体的な実施形態について説明する。  
（第１の実施形態）  
第１の実施形態について、図１及び図２（Ａ）〜（Ｃ）を参照して説明する。第１の実施形態では、漏水に起因する信号成分が、センサ信号の振幅に単純に相加される様な漏水発生状態に適用される。  
ここで、図２（Ａ）は測定時間となる一定時間間隔（Ｔ）におけるセンサ信号の信号レベル（電圧）を示す特性図、図２（Ｂ）は図２（Ａ）に対応して信号レベル（電圧）が判定電圧レベル±Ｌを超えた場合のカウント値を示す特性図、図２（Ｃ）は図２（Ａ）に対応して信号レベル（電圧）が判定電圧レベル±Ｌを超えない場合のカウント値を示す特性図を示す。
【００１７】
なお、第１の実施形態の場合、判定信号レベル±Ｌの値と、入力信号が、判定信号レベル±Ｌの範囲内にあるか、又は越えたかに従ってカウントする漏水判定基準を採用する設定が漏水判定条件入力部５から行われる。Ｌ自体の値は、予め調整値として幾つかの候補値が漏水判定条件入力部５の内部に記憶され、その値がレベル比較部１０へ通知される。
【００１８】
また、カウンタ部１１は、図示しないが、判定信号レベル（＋側：＋Ｌ、−側：−Ｌ）を超えている回数をカウントする判定レベル以上カウンタ（Ｌ以上カウンタ）と、判定信号レベルを下回った回数をカウントする判定レベル未満カウンタ（Ｌ未満カウンタ）とを備えている。
【００１９】
まず、センサー１、例えば、マイクロホンにより配管上で取得される信号に対して、例えば、１０ｋＨｚの周波数のサンプリングでＡ／Ｄ変換したデジタル信号が波形整形部９を経てレベル比較部１０へ入力される。  
レベル比較部１０では、入力信号レベルが判定信号レベル（＋側：＋Ｌ、−側：−Ｌ）を超えた場合はＬ以上カウンタのカウント値を＋１としてインクリメントし、信号のレベルが判定信号レベルを下回った場合はＬ未満カウンタのカウント値を＋１としてインクリメントを行う。このカウント値は演算結果記録部７に通知される。
【００２０】
そして、演算結果記録部７は、最終的に例えば１０秒間のように測定時間として予め決められた一定時間間隔Ｔが経過した時点で、信号のレベルが判定信号レベルを超えたＬ以上カウンタのカウント値Ｌｕと、信号のレベルが判定信号レベルを下回ったＬ未満カウンタのカウント値Ｌｌとの比率（カウント比率Ｆ）を、下記式（１）より求め、漏水判定部８へ通知する。
【００２１】
ここで、漏水判定部８は、予め漏水判定条件入力部５から入力設定された漏水判定条件に基づいてそのカウント比率Ｆが１以上の場合は、漏水ありと判定し、１未満であれば漏水なしと判定する。  
Ｆ＝Ｌを超えたサンプリング回数／Ｌを超えないサンプリング回数  
＝Ｌ以上カウント値Ｌｕ／Ｌ未満カウント値Ｌ１      …（１）
第１の実施形態によれば、センサー１と増幅部２とＡ／Ｄ変換部３と中央制御部４等を備え、センサー１で取り込んだ漏水に起因する信号成分を含むセンサ信号を所定のサンプリング周期でサンプリングして、Ａ／Ｄ変換部３によりデジタル信号に変換する。
【００２２】
そのデジタル信号値により信号レベルが予め決められた判定信号レベル±Ｌを超えた場合と、判定信号レベル±Ｌを下回った場合における各カウント値を求め、これらの比率が１以上か１未満の判定により漏水の有無を推定できる。即ち、判定のための信号レベルを上回った場合には漏水に起因する信号が多く含まれ、また判定のための信号レベルを下回った場合には漏水に起因する以外の信号が多く含まれるため、漏水の存在する箇所の検出はもちろん、漏水の無い箇所の検出についても容易に行える。
【００２３】
（第２の実施形態）  
第２の実施形態について、図１及び図３（Ａ）〜（Ｃ）を参照して説明する。第２の実施形態は、基本的には第１の実施形態と同様であるが、判定信号レベルにヒステリシス性を持たせている。  
ここで、図３（Ａ）は一定時間間隔（Ｔ）即ち、測定期間におけるセンサ信号を示す特性図、図３（Ｂ）は図３（Ａ）に対応して信号レベル（電圧）が判定電圧レベル±Ｌ１を超えた場合のカウンタ値を示す特性図、図３（Ｃ）は同じく判定信号レベル電圧レベル±Ｌ２を超えない場合のカウンタ値を示す特性図を示す。
【００２４】
図３において、センサ−により配管上で取得した信号に対して、一定間隔でサンプリングしながら、Ａ／Ｄ変換してデジタル信号に対してその信号のレベルが上限判定信号レベル（＋側：＋Ｌ１、−側：−Ｌ１）を超えた場合はＬ１以上カウントを＋１としてインクリメントし、信号のレベルが下限判定信号レベル（＋側：＋Ｌ２、−側：−Ｌ２）を下回った場合は下限Ｌ２未満カウンタを＋１としてインクリメントを行う。そして、予め決められた一定時間間隔Ｔの間サンプリングを行い、最終的に予め決められた一定時間間隔Ｔが経過した時点で、信号のレベルが上限判定信号レベルを超えた上限Ｌ１以上カウンタの回数と、信号のレベルが下限判定信号レベルを下回った下限Ｌ２未満カウンタの回数のサンプリング比率Ｆを下記式（２）より求め、その結果から、漏水判定条件に基づいて漏水の判定を行う。
【００２５】
Ｆ＝Ｌ１を超えたサンプリング回数／Ｌ２を超えないサンプリング回数
＝Ｌ１以上カウント値／Ｌ２未満カウント値      …（２）
第２の実施形態によれば、予め決められた一定時間間隔Ｔが経過した時点で、上限判定信号レベルを超えたサンプリング回数と下限判定信号レベルを下回ったサンプリング回数により、上限判定レベル以上カウンタと下限判定レベル未満カウンタとのカウント値のカウント比率Ｆを算出して、この比率の値が１以上のとき漏水と判定することができる。従って、第２の実施形態によれば、Ｌ２をＬ１より小さく抑えることによりヒステリシス効果を持たせ、漏水量が変動する様な場合に誤作動を抑える利点を得ることが出来、第１の実施形態と同様な効果が得られる。
【００２６】
（第３の実施形態）  
第３の実施形態について、図１、図４及び図５を参照して説明する。第３の実施形態は、漏水による信号成分が正常時の周囲から生じるセンサ信号に対して逆相、打ち消す様に影響する場合にも対応可能とするものである。  
ここで、図４は一定時間間隔Ｔと信号レベルとの関係を示す特性図、図５は図１の漏水検出装置を用いて漏水の計測開始から計測終了までの過程を示すフローチャートである。
【００２７】
まず、サンプリング値（測定値）入力（図５のステップＳ１）後、センサー１により配管上で取得された信号がＡ／Ｄ変換されてデジタル信号に対してその信号のレベルが複数の判定信号レベル（±Ｌ１、±Ｌ２、±Ｌ３、±Ｌ４）の各々に対して、超えた場合は各々のＬ１カウウンタ〜Ｌ４カウンタの各カウント値を＋１としてインクリメントする（図５のステップＳ２〜Ｓ５）。
【００２８】
即ち、上記信号のレベルが判定信号レベル（±Ｌ１）を越えた場合は、Ｌ１カウンタのカウント値を＋１としてインクリメントする（図５のステップＳ２）。上記信号のレベルが判定信号レベル（±Ｌ２）を越えた場合は、Ｌ２カウンタのカウント値を＋１としてインクリメントする（図５のステップＳ３）。上記信号のレベルが判定信号レベル（±Ｌ３）を越えた場合は、Ｌ３カウンタのカウント値を＋１としてインクリメントする（図５のステップＳ３）。上記信号のレベルが判定信号レベル（±Ｌ４）を越えた場合は、Ｌ４カウンタのカウント値を＋１としてインクリメントする（図５のステップＳ４）。判定信号レベル（±Ｌ１、±Ｌ２、±Ｌ３、±Ｌ４）の各々は、漏水判定条件入力部５からレベル比較部１０に入力設定される。
【００２９】
そして、この処理を一回のサンプリングに対して行いながら、予め決められた一定時間間隔Ｔの間サンプリングを行い、最終的に予め決められた一定時間間隔Ｔが経過した時点で、信号のレベルが複数の判定信号レベル（±Ｌ１〜±Ｌ４）を超えた場合の回数をカウントするＬ１カウンタ〜Ｌ４カウンタのカウント値と、予め決められた一定時間間隔Ｔの間における総サンプリング回数Ｑとの複数の比率を求める（図５のステップＳ７）。ここで、総サンプリング回数がＱ以上になると各Ｌ１カウンタ〜Ｌ４カウンタのカウント比率Ｆ１〜Ｆ４を算出するが、総サンプリング回数がＱ未満の場合（図５のステップＳ６）はサンプリングを繰り返す（サンプリングデータの入力を続ける）。
【００３０】
漏水判定部８は、一定時間間隔Ｔが経過し計測が終了した時点で、漏水や周囲に異常が無い場合に調査対象の配管で上記と同じ手順で測定した各Ｌ１カウンタ〜Ｌ４カウンタのカウント比率Ｆ１〜Ｆ４と比較する。このカウント比率の並び方のパターンもしくは典型的な比率データは、漏水判定部８の内部メモリに判定基準として少なくとも１つ以上記憶されている。そして、漏水判定条件入力部５へその判定基準パターンのどれを採用するかが漏水判定部８によって設定される（判定基準データは、漏水判定条件入力部５で記憶されそのデータが漏水判定部８へ判定基準として入力されるもので有っても良い。）
例えば、正常な場合、基準パターンとしてカウント比率がＦ１＞Ｆ２＞Ｆ３＞Ｆ４の様な順番で比率の大小が並んでいるのに比べ、漏水を調査する計測終了時点でＦ１＞Ｆ３＞Ｆ２＞Ｆ４の様にパターンが異なっていれば、漏水があると判定する。  
また、判定基準を並び方のパターンではなく、漏水時には、例えば、カウント比率Ｆ２が一番大きくなる事が予め判っていれば、最大となるカウント比率を調べることによって漏水の有無を判定することが出来る。
【００３１】
第３の実施形態によれば、予め決められた（±Ｌ１、±Ｌ２、±Ｌ３、±Ｌ４）の各々の判定信号レベルを超えた場合に、各判定信号レベルに対するカウント値を＋１とし、最終的に信号レベルが一定時間間隔Ｔ内における判定信号レベルを超えた各カウント値と総サンプリング回数Ｑとのカウント比率Ｆ１〜Ｆ４を求め、計測時の周囲環境条件から複数の判定レベルのうち、どの判定信号レベルのカウント比率を用いて判定を行うかを選択して漏水有無判定を行うことができ、漏水の検出確率の向上が図れる。
【００３２】
（第４の実施形態）  
第４の実施形態は、判定信号レベルの自動設定処理に関するものである。
【００３３】
第４の実施形態について、図１，図６及び図７を参照して説明する。ここで、図６は測定時間、一定時間間隔（Ｔ）における信号レベルを示す特性図、図７は図１の漏水検出装置を用いて漏水の計測開始から計測終了までの過程を示すフローチャートである。なお、第４の実施形態は、予め漏水箇所が存在することが判明している配管にセンサーが設置されている所で判定信号レベルを自動的に取得し、記憶する事によって漏水を検出する漏水検出装置に適用される。
【００３４】
ここでは第３の実施形態が適用される漏水検出装置で、まず、サンプリング値の入力（図７のステップＳ１０）後、例えば、既に漏水が発生していると判明している水道配管において、センサー１によりセンサ信号を取得する（図７のステップＳ１１）。そして、所定のサンプリング周期でサンプリングしながら、Ａ／Ｄ変換されデジタル信号に対してその信号のレベルが初期設定された判定信号レベルにて判定信号レベルＬを超えた場合はＬカウンタのカウント値を＋１としてインクリメントする（図７のステップＳ１２）。そして、予め決められた一定時間間隔Ｔになるまでサンプリングを行い、最終的に予め決められた一定時間間隔Ｔが経過した時点で、信号のレベルが判定信号レベルＬを超えた場合の回数をカウントするカウンタのカウント値と、予め決められた一定時間間隔Ｔの間における総サンプリング回数Ｑとの比率を求める（図７のステップＳ１４）。ここで、総サンプリング回数が以上の場合はカウント比率Ｆａ１を算出するが、総サンプリング回数がＱ未満の場合（図７のステップＳ１３）は、サンプリング値の入力を繰り返す。
【００３５】
また、カウンタＬ１に相当するものとしてカウント比率Ｆａ１が、例えば０．６の様に予め決められた規定値以上（図７のステップＳ１５）であれば、判定信号レベル値Ｌを記憶し（図７のステップＳ１７）、計測終了する。逆に、カウント比率Ｆａ１が規定値未満であれば、判定信号レベルＬの値を、ここでは更に下げる様に判定信号レベル値Ｌを調整しながら（図７のステップＳ１６）計測し、ある決められた規定値になるまで繰り返し行い、その規定値が得られた判定信号レベルＬの値を漏水判定部８のメモリ手段へ書込記憶する。
【００３６】
逆にカウント比率を下げたい場合には判定信号レベルＬの値を、更に上げる様に調整する。これと同様にして、複数のＬカウンタについてもそれぞれの判定信号レベルＬを設定すればよい。
【００３７】
また、第１の実施形態に対応する判定信号レベルＬの値を求めるには、カウント値Ｌ／総サンプリングＱのカウント比率Ｆａを、０．５±０．５の様にすればよい。
【００３８】
第４の実施形態によれば、中央制御部４は、入力されたサンプリング値の信号レベルが、予め決められた判定信号レベルＬを超えた場合に、前記カウント値を＋１とし、最終的に一定時間間隔Ｔ内における判定信号レベルを超えた回数をカウントして、総サンプリング回数Ｑに対する判定信号レベルを超えた回数のカウント比率Ｆａ１を求め記憶する。
【００３９】
第４の実施形態は、以上の初期設定作業の後、この記憶した判定信号レベルを、漏水判定部８からレベル比較部１０へ通知する事により、第１〜第３の実施形態における漏水検出をすることが可能である。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１…センサー、２…増幅部、３…Ａ／Ｄ変換部、４…中央制御部、５…漏水判定条件入力部、７…演算結果記録部、８…漏水判定部、９…波形整形部、１０…レベル比較部、１１…カウンタ部。
【図１】
0005921654.tif 000002
【図２】
0005921654.tif 000003
【図３】
0005921654.tif 000004
【図４】
0005921654.tif 000005
【図５】
0005921654.tif 000006
【図６】
0005921654.tif 000007
【図７】
0005921654.tif 000008